(57)【要約】【課題】原稿送信にかかる時間、回線を占有しないファクシミリ装置を提供する。【解決手段】少なくとも２つ以上の回線を使用するための２つ以上のポートを備える画像送信装置において、装置固有の発信元情報を記憶する装置情報記憶手段６５１と、画像データの送信に使用するポートを自動的に割り当てる自動ポート割当手段４３４と、自動ポート割当手段４３４により割り当てられたポートを使用して前記画像データの送信を行う場合には装置情報記憶手段６５１に記憶された装置固有の発信元情報を前記画像データに付加する付加手段と、自動ポート割当手段４３４により割り当てられたポートを使用して前記装置固有の発信元情報が付加された画像データを送信する送信制御手段とを備える。【選択図】  図３
2005026907.tif 000002
【特許請求の範囲】
【請求項１】
少なくとも２つ以上の回線を使用するための２つ以上のポートを備える画像送信装置において、
装置固有の発信元情報を記憶する装置情報記憶手段と、
画像データの送信に使用するポートを自動的に割り当てる自動ポート割当手段と、
前記自動ポート割当手段により割り当てられたポートを使用して前記画像データの送信を行う場合には前記装置情報記憶手段に記憶された装置固有の発信元情報を前記画像データに付加する付加手段と、
前記自動ポート割当手段により割り当てられたポートを使用して前記装置固有の発信元情報が付加された画像データを送信する送信制御手段とを備えることを特徴とする画像送信装置。
【請求項２】
前記装置固有の発信元情報をユーザが前記画像送信装置に入力するための入力手段を更に備えることを特徴とする請求項１に記載の画像送信装置。
【請求項３】
前記ポート固有の発信元情報をポートごとに記憶するポート情報記憶手段と、
画像データの送信に使用するポートをユーザが指定するためのポート指定手段と、
前記ポート指定手段により指定されたポートを使用して前記画像データを送信する場合には前記ポート情報記憶手段に記憶された指定されたポートの発信元情報を前記画像データに付加するポート情報付加手段とを更に備え、
前記送信制御手段は前記ポート指定手段によりポートが指定された場合には前記ポート指定手段により指定されたポートを使用して当該ポートの発信元情報が付加された画像データを送信することを特徴とする請求項１又は２に記載の画像送信装置。
【発明の詳細な説明】
【０００１】
【発明の属する技術分野】
本発明は、少なくとも２つ以上の回線を使用するための２つ以上のポートを備える画像送信装置に関する。
【０００２】
【従来の技術】
複数ポートを備え複数回線を使用可能なファクシミリ装置（マルチポートファクシミリ装置）における画像データへの発信元情報付加に関する従来技術として、例えば下記特許文献１には、複数の電話回線やＩＳＤＮ回線などを使用してファクシミリ通信が行え、回線ごとに通信情報（発信元情報）を設定することができるファクシミリ装置において、行うべき送信が同一のファイルを複数の回線を使用して複数の送信先に送信するマルチポートの同報送信である場合には、共通の通信情報を送信される送信画像情報（画像データ）に付加して送信する機能を備えたものが記載されている。また、例えば下記特許文献２には、複数回線を使用するファクシミリ装置において、複数回線のそれぞれに対応して発信元情報を登録する発信元情報登録手段を有し、前記登録した発信元情報を通信相手先に通知する発信元通知手段を備えたものが記載されている。
【０００３】
また、マルチポートファクシミリ装置における回線の選択に関する従来技術として、ユーザが特に回線を指定せずに送信を行った場合、空いている回線を自動的に選択して画像データを送信する機能を持つファクシミリ装置がある。
【０００４】
【特許文献１】
特開平１０−２４３１９号公報
【特許文献２】
特開平９−１１６７２１号公報
【０００５】
【発明が解決しようとする課題】
上記マルチポート同報通信の場合の発信元情報付加に係る従来技術では、同報送信でない通常の送信の場合には各回線（ポート）ごとに設定された通信情報（発信元情報）が画像データに付加され、同報送信の場合には共通の通信情報（発信元情報）が画像データに付加される。上記回線ごとの発信元情報付加に係る従来技術では、各回線ごとに設定された発信元情報が使用した回線に応じて送信相手先に通知される。しかしながら、空ポート（回線）が自動的に割り当てられ送信が行われるようなファクシミリ装置において、同報送信でない場合には、エラー発生等の理由により送信途中で回線接続を切断され再度回線を接続して再送を行う場合に別の回線が選択される場合がある。この場合に従来技術においては各ポートごとに設定された、ポートごとに異なる発信元情報が使用されるため回線切断前と後では異なった発信元情報（例えば異なる発信元ＦＡＸ番号）が画像データに付加されることとなり、ファックスを受け取った人がエラーで途中まで送られた画像データの再送か否かを混乱することとなる。
【０００６】
本発明は、上記問題点を解決するためになされたものであり、特にポートを指定せずに送信を行った場合にも、特別な操作なしに送信原稿に付加される発信元情報を固定することが出来るようなファクシミリ装置を提供することが目的である。
【０００７】
【課題を解決するための手段】
請求項１に係る画像送信装置は、少なくとも２つ以上の回線を使用するための２つ以上のポートを備える画像送信装置において、装置固有の発信元情報を記憶する装置情報記憶手段と、画像データの送信に使用するポートを自動的に割り当てる自動ポート割当手段と、前記自動ポート割当手段により割り当てられたポートを使用して前記画像データの送信を行う場合には前記装置情報記憶手段に記憶された装置固有の発信元情報を前記画像データに付加する付加手段と、前記自動ポート割当手段により割り当てられたポートを使用して前記装置固有の発信元情報が付加された画像データを送信する送信制御手段とを備える。
【０００８】
この構成によれば、各ポートで共通に使用する発信元情報（発信元装置情報）を装置に記憶し、送信に使用するポートが自動的に割り当てられて画像データの送信が行われる場合には上記発信元装置情報が画像データに付加されるので、エラーの発生等により送信途中の画像データの送信が中止され、自動的に別のポートが使用されて画像データが再送信されるような場合にも、中断前と中断後で同一の送信元情報が画像データに付加されるので、エラーで途中まで送られた画像データが再送されて来たことが容易にわかり、別の送信者から送信されてきた画像データであると勘違いする等の混乱を受信者にもたらすことがない。
【０００９】
請求項２に係る画像送信装置は、上記構成に加えて、前記装置固有の発信元情報をユーザが前記画像送信装置に入力するための入力手段を更に備える。この構成によれば、前記装置固有の発信元情報をユーザが入力するための手段が備えられているので、前記装置固有の発信元情報をユーザが決定し入力することが出来る。
【００１０】
請求項３に係る画像送信装置は、上記構成に加えて、前記ポート固有の発信元情報をポートごとに記憶する発信元ポート情報記憶手段と、画像データの送信に使用するポートをユーザが指定するためのポート指定手段と、前記ポート指定手段により指定されたポートを使用して前記画像データを送信する場合には前記発信元ポート情報記憶手段に記憶された使用するポートの発信元情報を前記画像データに付加する発信元ポート情報付加手段とを更に備え、前記送信制御手段は前記ポート指定手段によりポートが指定された場合には前記ポート指定手段により指定されたポートを使用して当該ポートの発信元情報が付加された画像データを送信する。
【００１１】
この構成によれば、ポートごとにポート固有の発信元情報（発信元ポート情報）が装置に記憶され使用するポートをユーザが指定することが出来ると共にユーザ指定のポートを使用する場合には指定したポートに固有の発信元ポート情報が画像データに付加されて送信されるので、送信ポートをユーザが指定することにより特定の発信元情報（発信元ポート情報）を画像データに付加して送信することが出来る。
【００１２】
【発明の実施の形態】
以下、本発明の一実施の形態による画像送信装置であるファクシミリ装置の一例としてデジタル複合機について図面を参照しながら説明する。図１は、本発明の一実施の形態によるファクシミリ機能が組み込まれたデジタル複合機の機械的構成を主に示す側面概略図である。
【００１３】
デジタル複合機１は、スキャナ機能、ファクシミリ機能、プリンタ機能、及びコピー機能等の複合機能を備えたデジタル方式の複写機である。デジタル複合機１では、上記の各機能を組み合わせて種々の機能が実現される。
【００１４】
デジタル複合機１は、本体部２００と、本体部２００の左側に配設された用紙後処理部３００と、ユーザが種々の操作指令等を入力するための操作部４００と、本体部２００の上部に配設された原稿読み取り部５００と、原稿読み取り部５００の上方に配設された原稿給送部６００とから構成される。
【００１５】
操作部４００は、タッチパネル４０１、スタートキー４０２及びテンキー４０３等を備える。タッチパネル４０１は、種々の操作画面を表示するとともに、ユーザが種々の操作指令を入力するための種々の操作ボタン等を表示する。スタートキー４０２は、ユーザがコピー実行指令等を入力するために用いられ、テンキー４０３は、コピー部数等を入力するために用いられる。
【００１６】
原稿給送部６００は、原稿載置部６０１、原稿排出部６０２、給紙ローラ６０３及び原稿搬送部６０４等を備え、原稿読み取り部５００は、スキャナ５０１等を備える。給紙ローラ６０３は、原稿載置部６０１にセットされた原稿を繰り出し、原稿搬送部６０４は、繰り出される原稿を１枚ずつ順にスキャナ５０１上に搬送する。スキャナ５０１は搬送される原稿を順次読み取り、読み取られた原稿は原稿排出部６０２に排出される。
【００１７】
本体部２００は、複数の給紙カセット２０１、複数の給紙ローラ２０２、転写ローラ２０３、感光体ドラム２０４、露光装置２０５、現像装置２０６、定着ローラ２０７、排出口２０８、及び排出トレイ２０９等を備える。
【００１８】
感光体ドラム２０４は、矢印方向に回転しながら帯電装置（図示省略）によって一様に帯電される。露光装置２０５は、原稿読み取り部５００において読み取られた原稿の画像データに基づいて生成された変調信号をレーザ光に変換して出力し、感光体ドラム２０４に静電潜像を形成する。現像装置２０６は、所定の現像剤を感光体ドラム２０４に供給してトナー画像を形成する。
【００１９】
一方、給紙ローラ２０２は、用紙が収納された給紙カセット２０１から用紙を引き出し、転写ローラ２０３まで給送する。転写ローラ２０３は、搬送された用紙に感光体ドラム２０４上のトナー像を転写させ、定着ローラ２０７は、転写されたトナー像を加熱して用紙に定着させる。その後、用紙は、本体部２００の排出口２０８から用紙後処理部３００に搬入される。また、用紙は、必要に応じて排出トレイ２０９へも排出される。
【００２０】
用紙後処理部３００は、搬入口３０１、用紙搬送部３０２、搬出口３０３及びスタックトレイ３０４等を備える。用紙搬送部３０２は、排出口２０９から搬入口３０１に搬入された用紙を順次搬送し、最終的に搬出口３０３からスタックトレイ３０４へ用紙を排出する。スタックトレイ３０４は、搬出口３０３から搬出された用紙の集積枚数に応じて矢印方向に上下動可能に構成されている。
【００２１】
図２は、図１に示すデジタル複合機１の電気的構成を主に示すブロック図である。デジタル複合機１は、スキャナ部１１、画像処理部２１、プリンタ部３１、制御部４１、操作パネル部５１、ファクシミリ通信部６１、ネットワークＩ／Ｆ（インターフェース）部６２、パラレルＩ／Ｆ部６３、シリアルＩ／Ｆ部６４及びＨＤＤ（ハードディスクドライブ）６５を備える。
【００２２】
スキャナ部１１、画像処理部２１、制御部４１、操作パネル部５１及びネットワークＩ／Ｆ部６２は、図１に示す操作部４００、原稿読み取り部５００及び原稿給送部６００に相当し、これらの各部によりスキャナ機能が実現される。スキャナ部１１、画像処理部２１、プリンタ部３１、制御部４１、操作パネル部５１及びファクシミリ通信部６１は、図１に示す本体部２００、操作部４００、原稿読み取り部５００及び原稿給送部６００に相当し、これらの各部によりファクシミリ機能が実現される。画像処理部２１、プリンタ部３１、制御部４１、操作パネル部５１、ネットワークＩ／Ｆ部６２及びパラレルＩ／Ｆ部６３は、図１に示す本体部２００及び操作部４００に相当し、これらの各部によりプリンタ機能が実現される。スキャナ部１１、画像処理部２１、プリンタ部３１、制御部４１、操作パネル部５１及びネットワークＩ／Ｆ部６２は、図１に示す本体部２００、用紙後処理部３００、操作部４００、原稿読み取り部５００及び原稿給送部６００に相当し、これらの各部によりコピー機能が実現される。
【００２３】
操作パネル部５１は、図１に示すタッチパネル４０１等から構成されるタッチパネル部５２、及び図１に示すスタートキー４０２及びテンキー４０３等から構成される操作キー部５３を含む。操作パネル部５１は、ユーザがスキャナ機能、ファクシミリ機能、プリンタ機能、コピー機能等に関する操作を行うために使用され、ユーザによる操作指令等を制御部４１に与える。タッチパネル部５２は、タッチパネルとＬＣＤ（Ｌｉｑｕｉｄ  Ｃｒｙｓｔａｌ  Ｄｉｓｐｌａｙ）とを組み合わせたタッチパネルユニット等から構成され、種々の操作画面、例えば、コピー機能実行時には、原稿サイズ、コピーサイズ、印刷部数等に関する情報を表示するとともに、ユーザが当該部分をタッチすることにより種々の操作指令を入力するための操作ボタン等を表示する。操作キー部５３は、ユーザがコピー実行指令等を入力するために用いられる。
【００２４】
制御部４１は、スキャナコントローラ４２、ファクシミリコントローラ４３、プリンタコントローラ４４及びコピーコントローラ４５として機能する。制御部４１は、マイクロコンピュータ及び専用のハードウエア回路等から構成され、装置全体の動作を制御する。スキャナコントローラ４２は、スキャナ機能を実現するために用いられる各部の動作を制御する。ファクシミリコントローラ４３は、ファクシミリ機能を実現するために用いられる各部の動作を制御する。プリンタコントローラ４４は、プリンタ機能を実現するために用いられる各部の動作を制御する。コピーコントローラ４５は、コピー機能を実現するために用いられる各部の動作を制御する。
【００２５】
スキャナ部１１は、図１に示すスキャナ５０１を構成する露光ランプ１２及びＣＣＤ（電荷結合素子）１３を含む。スキャナ部１１は、露光ランプ１２により原稿を照射し、その反射光をＣＣＤ１３で受光することにより、原稿から画像を読み取り、読み取った画像に対応する画像データを画像処理部２１へ出力する。
【００２６】
画像処理部２１は、補正部２２、画像加工部２３及び画像メモリ２４を含む。画像処理部２１は、読み取られた画像データを必要に応じて補正部２２及び画像加工部２３により処理し、処理された画像データを画像メモリ２４に記憶したり、プリンタ部３１、ファクシミリ通信部６１又はネットワークＩ／Ｆ部６２等へ出力する。補正部２２は、読み取られた画像データに対してレベル補正、Ｙ補正等の所定の補正処理を行う。画像加工部２３は、画像データの圧縮又は伸張処理、及び拡大又は縮小処理等の種々の加工処理を行う。
【００２７】
プリンタ部３１は、図１に示す給紙カセット２０１及び給紙ローラ２０２等から構成される用紙搬送部３２、図１に示す感光体ドラム２０４、露光装置２０５、現像装置２０６等から構成される画像形成部３３、図１に示す転写ローラ２０３等から構成される転写部３４、及び図１に示す定着ローラ２０７等から構成される定着部３５を含む。プリンタ部３１は、スキャナ部１１により読み取られた原稿データ、ネットワークＩ／Ｆ部６２を介してＬＡＮ（Ｌｏｃａｌ  Ａｒｅａ  Ｎｅｔｗｏｒｋ）によりクライアントＰＣ（パーソナルコンピュータ）等から送信された印刷データ、ファクシミリ通信部６１を用いて外部のファクシミリ装置等から受信したファクスデータ等の画像データを用いて画像を用紙に印刷する。具体的には、用紙搬送部３２は用紙を画像形成部３３へ搬送し、画像形成部３３は上記の画像データに対応するトナー像を形成し、転写部３４はトナー像を用紙に転写し、定着部３５はトナー像を用紙に定着させて画像を形成する。
【００２８】
ファクシミリ通信部６１は、符号化／復号化部（図示省略）、変復調部（図示省略）及びＮＣＵ（Ｎｅｔｗｏｒｋ  Ｃｏｎｔｒｏｌ  Ｕｎｉｔ）（図示省略）を含む。ファクシミリ通信部６１は、スキャナ部１１によって読み取られた原稿の画像データをポートに接続された電話回線を介してファクシミリ装置等へ送信したり、ファクシミリ装置等から送信された画像データを受信する。符号化／復号化部は、送信する画像データを圧縮・符号化し、受信した画像データを伸長・復号化する。変復調部は、圧縮・符号化された画像データを音声信号に変調したり、受信した信号（音声信号）を画像データに復調する。ＮＣＵは、送受信先となるファクシミリ装置等との電話回線による接続を制御する。本実施形態においてファクシミリ通信部６１は２つの電話回線６１２及び６１３を接続するための２つのポートを備える。また、ファクシミリ通信部６１内には２つのポートの切り替えを行うためのポート切替部６１１が備えられ必要に応じてポートを切り替えて回線を使用する。
【００２９】
ネットワークＩ／Ｆ部６２は、ネットワークインタフェース（１０／１００Ｂａｓｅ−ＴＸ）等を用い、ＬＡＮを介して接続されたクライアントＰＣ等に対する種々のデータの送受信を制御し、例えば、クライアントＰＣ等から送信された印刷データ等を受信する。パラレルＩ／Ｆ部６３は、高速双方向パラレルインターフェイス（ＩＥＥＥ１２８４準拠）等を用い、複数の信号線を用いて複数ビット単位でデータを送信するパラレル伝送により外部機器等から印刷データ等を受信等する。シリアルＩ／Ｆ部６４は、シリアルインターフェイス（ＲＳ−２３２Ｃ）等を用い、単一の信号線を用いて１ビットずつ順次データを送るシリアル伝送により外部機器等から種々のデータ等を受信等する。
【００３０】
ＨＤＤ６５は、スキャナ部１１によって読み取られた画像データ及び当該画像データに設定されている出力形式等の種々のデータ等を記憶する。ＨＤＤ６５に記憶されている画像データは、デジタル複合機１内部で使用されるだけでなく、必要に応じて、ネットワークＩ／Ｆ部６２を介してクライアントＰＣ等から確認したり、クライアントＰＣ等の所定のフォルダへ転送される。
【００３１】
上記のように、デジタル複合機１は、スキャナ機能、ファクシミリ機能、プリンタ機能、コピー機能等の種々の機能を実行可能なように構成されており、ファクシミリ装置として使用することが出来る。本実施形態においては、デジタル複合機１を特にファクシミリ装置として使用する。
【００３２】
図３は、図２に示す電気的構成のうち特にファクシミリ送信機能に係る部分である操作パネル部５１、スキャナ部１１、画像処理部２１、ファクシミリ通信部６１、ＨＤＤ６５及び制御部４１内のファクシミリコントローラ４３と、ファクシミリコントローラ４３において特に本発明に係る機能の構成を示すブロック図である。以下に特にファクシミリコントローラ４３内の各機能に係る説明を行う。
【００３３】
操作パネル部５１は、ファクシミリ送信において、ユーザによる送信相手先のＦＡＸ番号の入力、ＦＡＸ送信指示の入力、送信に使用するポート指定の入力、送信画像データに付加される発信元情報の入力に主に使用される。
【００３４】
ポート指定入力部４３１は、ユーザが操作パネル部５１を使用して行った、次に送信指示される画像データの送信に使用するポートの指定を操作パネル部５１から受け付ける。受け付けられた使用ポートの指定は、例えば使用するポートを識別するための番号情報（ポート指定情報、例えばポート１に対して「１」、ポート２に対して「２」）としてポート指定入力部４３１から送信制御部４３４に送信される。
【００３５】
発信元情報入力部４３２は、操作パネル部５１を使用してユーザが入力した発信元情報を受け付けＨＤＤ６５内に発信元情報テーブル６５１として記憶する。ユーザが入力する情報は例えば図４のテーブルの発信元情報欄６５ｂに示すもので、種別欄６５ａに示す各種別に対応した発信元情報を入力する。種別「装置」とはこの欄の発信元情報６５ｂが装置固有（共通）の発信元情報であること、種別「ポート１」〜「ポート２」はこれらの欄の発信元情報６５ｂがポート１〜ポート２の各ポートに固有の発信元情報であることを意味している。種別「装置」の発信元情報は自動ポート割当機能によりポートが装置により自動的に割り当てられた場合に使用される発信元情報（発信元装置情報）で、どのポートが使用される場合にも使用される。種別「ポート１」〜「ポート２」の発信元情報はユーザが送信に使用するポートを指定した場合に使用される発信元情報で、使用されるポートに対応した種別の発信元情報（発信元ポート情報）が使用される。ユーザは１つの種別に対してのみ発信元情報を入力してもよいし、複数の種別に対して発信元情報を入力してもよい。ユーザが発信元情報を入力していない場合にはその種別に対しての発信元情報は画像データに付加されない。発信元情報入力部４３２は操作パネル部５１から図４に示すテーブルの形でユーザが操作パネル部５１に入力した発信元情報を受信する。
【００３６】
発信元情報付加部４３３は、送信制御部４３４からの指示により発信元情報を画像内に組み込むための制御を行う。発信元情報付加部４３３は送信制御部４３４から発信元情報付加の指示を受けたら送信制御部４３４に後で説明する未送信データ情報テーブルの指定ポート欄５ｃの値を問い合わせる。指定ポート欄５ｃはユーザによるポートの指定を管理するためのもので指定されたポートの番号又は０を格納する。ここで０は指定なしを意味する。発信元情報付加部４３３は指定ポート欄５ｃの問い合わせに対し送信制御部４３４は指定ポート欄５ｃの値を発信元情報付加部４３３に送信する。発信元情報付加部４３３は指定ポート欄５ｃの値に応じＨＤＤ６５から発信元情報を取得する。具体的には例えば指定ポート欄５ｃが０であれば発信元情報テーブル６５１の「装置」欄の発信元情報６５ｂを、指定ポート欄５ｃが１であれば「ポート１」欄の発信元情報６５ｂを、指定ポート欄５ｃが２であれば「ポート２」欄の発信元情報６５ｂを取得する。発信元情報を取得したら発信元情報付加部４３３は画像加工部２３に発信元情報を送信すると共に送信原稿の画像データに当該発信元情報を付加することを指示する。画像加工部２３はこれを受けて送信原稿の画像データに当該発信元情報を付加する。例えば送信原稿のページの上端に発信元情報が記載されるように加工する。
【００３７】
送信制御部４３４は、操作パネル部５１を使用してユーザから送信指示があった場合に当該送信指示及び送信先ＦＡＸ番号を受け付け送信制御を開始する。以下に送信制御部４３４の送信制御について説明する。送信制御部４３４は送信先ＦＡＸ番号を送信制御部４３４内に一時的に格納する。例えば送信制御部４３４は図５に示す未送信データ情報テーブルを送信制御部４３４内に保持し、送信指示が行われた後、送信が行われるまでの間、当該送信に係る情報を保持する。未送信データ情報テーブル内に格納する情報は送信先ＦＡＸ番号欄５ａ、画像データアドレス５ｂ及び指定ポート５ｃである。画像データアドレス５ｂは送信する画像データの画像メモリ２４内の格納位置へのリンク情報で、指定ポート５ｃにはユーザが使用するポートがユーザにより指定された場合はポートの番号、指定されてない場合は指定されていない旨を示す情報（図中では「０」を使用）を格納する。このテーブルは１回の送信指示に係る情報を保持する。従って通常の送信においては１行だけのデータが保持されるが同報送信（同じ画像データを複数の送信先に送信する送信）の場合には複数の送信先ＦＡＸ番号に対応して複数行のデータが保持される。送信先ＦＡＸ番号以外の情報の格納については後述する。
【００３８】
送信制御部４３４は、ユーザが操作パネル部５１を使用して行った送信指示に対応した送信指示信号を操作パネル部５１から送信制御部４３４が受信することを契機に送信する原稿の読取指示をスキャナ部１１に対して行う。スキャナ部１１は読み取った画像データを画像処理部２１の画像メモリ２４に格納する。画像処理部２１は画像データを格納したら画像データへのリンク情報（例えば画像メモリ２４内の画像データ格納アドレス）を送信制御部４３４に渡す。送信制御部４３４は画像処理部２１から受信した画像データのリンク情報を例えば図５に示す未送信データ情報テーブルの画像データアドレス欄５ｃに格納する。
【００３９】
ポート指定情報の管理として、送信制御部４３４はポート指定入力部４３１から受信したポート指定情報を未送信データ情報テーブルの指定ポート欄５ｃに格納して管理する。同報送信の場合には１つのポート指定情報を全ての行の指定ポート欄５ｃに格納する。指定ポート欄５ｃは例えば２つのポートがある装置の場合に０〜２までの数字によりポート割当情報を管理する。指定ポート欄５ｃが「０」の場合はユーザからは使用ポートの指定がなく自動ポート割当が行われること、「１」の場合はポート１を使用することが、「２」の場合はポート２を使用することがユーザから指示されたことを意味する。「０」はデフォルト値でユーザからのポート指定が特にない場合に使用される。指定ポート欄５ｃには初期値として「０」が最初に格納される。
【００４０】
発信元情報付加指示として、送信制御部４３４は発信元情報付加部４３３へ発信元情報を付加するよう指示を出す。また、発信元情報付加部４３３からの指定ポート欄５ｃの問い合わせに対して指定ポート欄５ｃの値を発信元情報付加部４３３に送信する。
【００４１】
ポート割当として、送信制御部４３４は未送信データ情報テーブルの次の送信に係る行（ここでは例えば１番上の行）の指定ポート欄５ｃが０以外の場合にはその番号に対応したポートを送信に使用するポートとして割り当てる。例えば指定ポート欄５ｃが１であればポート１を送信に割り当てる。指定ポート欄５ｃが０の場合には自動ポート割当を行う。自動ポート割当の制御は以下のようである。送信制御部４３４はファクシミリ通信部６１にポート１から順にポートが使用中か否かを問い合わせる。ファクシミリ通信部６１はこれに対して使用中か否かを返信する。問い合わせたポートが使用中でなければ当該ポートを送信に使用するポートとして割り当てる。問い合わせたポートが使用中であれば次のポートについて同様のことを繰り返す。全ポートが使用中である場合にはポート１から同様に繰り返す。
【００４２】
ファクシミリ通信部６１への送信指示として、送信制御部４３４は未送信出た情報テーブルの１番上の行にある送信情報（送信相手先ＦＡＸ番号５ａ、画像データアドレス５ｂ）及び当該送信に使用するポートの番号をファクシミリ通信部６１に送信し画像データの送信を指示する。送信を指示したら未送信データ情報テーブルの当該送信の行を削除すると共に、図６に示す送信中データ情報テーブルの送信に使用しているポート番号６ａの行に未送信データ情報テーブルのデータ（送信先ＦＡＸ番号５ａを６ｂに、画像データアドレス５ｂを６ｃに、指定ポート５ｃを６ｄに）を移動する。
【００４３】
送信中データ情報テーブルは例えば図６に示すようなテーブルの情報で、エラー等により回線の接続が切断された場合の再送のためにファクシミリ通信部６１へ送信指示を行った後も送信画像データに係る情報を保持するためのものである。送信中データ情報テーブルは各ポートで送信中の画像データに対する送信相手先ＦＡＸ番号６ｂ、画像メモリ２４内における画像データの格納位置情報６ｃ及びユーザによる使用ポートの指定の情報６ｄが格納される。送信制御部４３４は送信中の画像データの送信が終了したら画像メモリ２４中の対応する画像データを削除すると共に送信中データ情報テーブルの対応する欄のデータを削除する。
【００４４】
ファクシミリ通信部６１は指示されたポート番号のポートから送信相手先ＦＡＸ番号に回線を接続し、画像メモリ２４上の画像データを送信する。送信が終了した場合には送信制御部４３４に送信が終了した旨を送信に使用したポート番号と共に伝える。
【００４５】
次に図７のフローチャートに従いポート（回線）を２つ備える上記デジタル複合機１における発信元情報の登録時における処理の流れを説明する。Ｓ１では、ユーザは操作パネル部５１のタッチパネル部５２を使用して例えば「発信元情報登録」キーを押すことにより発信元情報を入力することを指示し操作パネル部５１はこれを受け付ける。Ｓ３では、操作パネル部５１はタッチパネル部５２に発信元情報の種別選択ウィンドウを表示する。この画面では種別選択ウィンドウと共に後で説明する「登録」キーも表示される。発信元情報の種別とは図４の６５ａに示す種別と同じものである。ユーザはタッチパネル部５２に表示された発信元情報の種別選択ウィンドウから入力したい発信元情報を一つ選択する。
【００４６】
Ｓ５では、操作パネル部５１は装置固有の発信元装置情報の入力が選択されたと判断したら（Ｓ５でＹＥＳ）、Ｓ７に進む。Ｓ７では、操作パネル部５１は発信元装置情報の入力画面を表示する。Ｓ９では、ユーザは発信元装置情報の入力画面で発信元装置情報として画像データに付加したい文字列を入力する。例えば図４の発信元情報欄６５ｂに示すように文字列「株式会社○○○○  ××部」を入力する。タッチパネル部５２に表示された「ＯＫ」キーがユーザにより押下されたことを操作パネル部５１が検知したら発信元装置情報の入力は完了される。操作パネル部５１は発信元装置情報の入力画面を終了する。
【００４７】
Ｓ１１では、ポート１固有の発信元ポート情報の入力が選択されたことを操作パネル部５１が受信したら（Ｓ１１でＹＥＳ）、Ｓ１３に進む。Ｓ１３では、操作パネル部５１はポート１用の発信元ポート情報の入力画面を表示する。Ｓ１５では、ユーザは発信元ポート情報の入力画面でポート１用の発信元ポート情報として画像データに付加したい文字列を入力する。例えば図４の発信元情報欄６５ｂに示すように文字列「ＦＡＸ番号０６−１１１１−１１１１」を入力する。タッチパネル部５２に表示された「ＯＫ」キーがユーザにより押下されたことを操作パネル部５１が検知したら発信元ポート情報の入力は完了される。操作パネル部５１は発信元ポート情報の入力画面を終了する。
【００４８】
Ｓ１７では、ポート２固有の発信元ポート情報の入力が選択されたことを操作パネル部５１が受信したら（Ｓ１７でＹＥＳ）、Ｓ１９に進む。Ｓ１９では、操作パネル部５１はポート２用の発信元ポート情報の入力画面を表示する。Ｓ２１では、ユーザは発信元ポート情報の入力画面でポート２用の発信元ポート情報として画像データに付加したい文字列を入力する。例えば図４の発信元情報欄６５ｂに示すように文字列「ＦＡＸ番号０６−１１１１−２２２２」を入力する。タッチパネル部５２に表示された「ＯＫ」キーがユーザにより押下されたことを操作パネル部５１が検知したら発信元ポート情報の入力は完了される。操作パネル部５１は発信元ポート情報の入力画面を終了する。
【００４９】
Ｓ１７の分岐でポート２固有の発信元ポート情報の入力が選択されたことが操作パネル部５１により受信されなかった場合（Ｓ１７でＮＯ）、又はＳ９、Ｓ１５、Ｓ２１の処理が終了した場合、Ｓ２３に進む。Ｓ２３では、Ｓ３で表示された種別選択ウィンドウが表示された画面でタッチパネル部５２に表示される「登録」キーがユーザにより押下されたか否かを操作パネル部５１が判定することにより発信元情報の登録指示が行われたか否かをチェックする。登録指示が行われたら（Ｓ２３でＹＥＳ）、発信元情報を操作パネル部５１から発信元情報入力部４３２に送信し、発信元情報入力部４３２はＨＤＤ６５に発信元情報テーブル６５１として格納する。発信元情報の登録は画像データの送信が行われる以前であればいつ行われてもよい。
【００５０】
次に図８及び図９のフローチャートに従いポート（回線）を２つ備える上記デジタル複合機１において画像データ送信時の処理の流れを説明する。Ｓ３１では、ユーザが操作パネル部５１を使用して次の送信に使用するポートの指定を入力したことを検知したか否かを操作パネル部５１がチェックする。ポートの指定が入力された場合には（Ｓ３１でＹＥＳ）、Ｓ３３へ進む。Ｓ３３では、操作パネル部５１は入力されたポート番号を送信制御部４３４に送信する。送信制御部４３４は操作パネル部５１から受信したポート番号を未送信データ情報テーブルの指定ポート欄５ｃに格納する。例えばポート番号「２」を受信したら指定ポート欄５ｃに「２」を代入する。ポート番号を受信しなかった場合（使用するポートが指定されなかった場合）は指定ポート欄５ｃは初期値の「０」である。Ｓ３１の分岐でポート指定が入力されなかった場合（Ｓ３１でＮＯ）又はＳ３３の処理が終了した場合にはＳ３５へ進む。
【００５１】
Ｓ３５では、操作パネル部５１を使用してユーザが入力した送信先のＦＡＸ番号を操作パネル部５１が受け付け一時的に記憶する。ここでは例えば送信先ＡのＦＡＸ番号０３−２２２２−１１１１を入力する。頻繁に送る送信先の場合にはあらかじめＦＡＸ番号を登録しておいて原稿送信時に登録された一覧から選択することも出来る。この場合ＦＡＸ番号の入力操作が簡略される。Ｓ３７では、同報送信を行いたい場合にユーザが他の送信先のＦＡＸ番号を更に入力したい旨の指示があったか否かを操作パネル部５１がチェックする。他のＦＡＸ番号を入力したい指示があれば（Ｓ３７でＹＥＳ）、Ｓ３５へ戻り他のＦＡＸ番号入力処理を行う。例えば２つ目のＦＡＸ番号として０３−３３３３−３３３３を入力する。他のＦＡＸ番号を入力したい指示がなければ（Ｓ３７でＮＯ）、Ｓ３９へ進む。
【００５２】
Ｓ３９では、操作パネル部５１を使用したユーザによる送信指示、例えばスタートボタンを押下すること、を操作パネル部５１が受け付けたら、操作パネル部５１が送信先ＦＡＸ番号と共に送信指示信号を送信制御部４３４に送る。送信制御部４３４は受信した上記ＦＡＸ番号を図５に示すように未送信データ情報テーブルのＦＡＸ番号欄５ａに格納し、送信制御を開始する。同報送信であれば複数のＦＡＸ番号を格納し、指定ポート欄５ｃの内容は同一とする。
【００５３】
Ｓ４１では、送信制御部４３４から指示を受けスキャナ部１１が送信原稿を読み取り、上記原稿内容を画像データとしてページ番号情報と共に画像メモリ２４に格納し、送信制御部４３４は上記画像データへのリンク情報を未送信データ情報テーブルの画像データアドレス欄５ｂに格納する。同報送信であれば全ての行に格納する。
【００５４】
Ｓ４３では、発信元情報付加部４３３は送信制御部４３４が保持する未送信データ情報テーブルの指定ポート欄５ｃを見て、ユーザが送信に使用するポートの指定を行ったか否かをチェックし、ポートの指定が行われていなければ、例えば指定ポート欄５ｃが０であれば（Ｓ４３でＮＯ）、Ｓ４５に進む。Ｓ４５では、発信元情報付加部４３３は発信元情報テーブル６５１から装置固有の発信元装置情報を取得し、画像加工部２３に取得した発信元装置情報を渡すと共に発信元装置情報を画像データに付加することを指示する。これにより画像加工部２３は取得した発信元装置情報を画像データの所定の位置、例えばページ上端部に付加する画像加工を行う。
【００５５】
Ｓ４７では、送信制御部４３４はファクシミリ通信部６１にポート１が空いているか否かを問い合わせポート１が空いていれば（Ｓ４７でＹＥＳ）、Ｓ４９に進む。Ｓ４９では、送信制御部４３４は未送信データ情報テーブルから送信先ＦＡＸ番号５ａと画像データアドレス５ｂ及びポート１を使用する旨をファクシミリ通信部６１に送信し画像データの送信を指示する。ファクシミリ通信部６１は送信制御部４３４の指示に従い画像データの送信を行う。送信制御部４３４はファクシミリ通信部６１への送信指示に伴い図５に示す未送信データ情報テーブルから送信指示を行ったデータの情報を削除し、図６に示す送信中情報テーブルに上記情報を移動する。Ｓ５１では、未送信データ情報テーブルをチェックして同報送信の場合でまだ送信していないあて先があるか否かをチェックする。未送信のあて先があった場合（Ｓ５１でＹＥＳ）又はＳ４７でポート１が空いていなかった場合は（Ｓ４７でＮＯ）、Ｓ５３に進む。
【００５６】
Ｓ５３では、送信制御部４３４はファクシミリ通信部６１にポート２が空いているか否かを問い合わせポート２が空いていれば（Ｓ５３でＹＥＳ）、Ｓ５５に進む。Ｓ５５では、送信制御部４３４は未送信データ情報テーブルから送信先ＦＡＸ番号５ａと画像データアドレス５ｂ及びポート２を使用する旨をファクシミリ通信部６１に送信し送信を指示する。ファクシミリ通信部６１は送信制御部４３４の指示に従い画像データの送信を行う。送信制御部４３４はファクシミリ通信部６１への送信指示に伴い図５に示す未送信データ情報テーブルから送信指示を行ったデータの情報を削除し、図６に示す送信中情報テーブルに上記情報を移動する。Ｓ５７では、未送信データ情報テーブルをチェックして同報送信の場合でまだ送信していないあて先があるか否かをチェックする。未送信のあて先があった場合（Ｓ５７でＹＥＳ）又はＳ５３でポート２が空いていなかった場合は（Ｓ５３でＮＯ）、Ｓ４７に戻る。
【００５７】
Ｓ４３において使用するポートの指定があった場合には（Ｓ４３でＹＥＳ）、Ｓ５９に進む。Ｓ５９では、発信元情報付加部４３３による送信制御部４３４が保持する未送信データ情報テーブルのチェックにより、送信に使用するポートとしてポート１が指定されていれば、例えば指定ポート欄５ｃが１であれば（Ｓ５９でＹＥＳ）、Ｓ６１に進む。Ｓ６１では、発信元情報付加部４３３は発信元情報テーブル６５１からポート１固有の発信元ポート情報を取得し、画像加工部２３に取得した発信元ポート情報を渡すと共に発信元ポート情報を画像データに付加することを指示する。これにより画像加工部２３は取得した発信元ポート情報を画像データの所定の位置、例えばページ上端部に付加する画像加工を行う。
【００５８】
Ｓ６３では、送信制御部４３４は未送信データ情報テーブルから送信先ＦＡＸ番号５ａと画像データアドレス５ｂ及びポート１を使用する旨をファクシミリ通信部６１に送信し送信を指示する。ファクシミリ通信部６１は送信制御部４３４の指示に従い画像データの送信を行う。送信制御部はファクシミリ通信部６１への送信指示に伴い未送信データ情報テーブルから送信指示を行ったデータの情報を削除し、送信中情報テーブルに上記情報を移動する。Ｓ６５では、未送信データ情報テーブルをチェックして同報送信の場合でまだ送信していないあて先があるか否かをチェックする。未送信のあて先があった場合（Ｓ６５でＹＥＳ）、Ｓ６３に戻って未送信のあて先に対しての送信処理を行う。
【００５９】
Ｓ５９において発信元情報付加部４３３による送信制御部４３４が保持する未送信データ情報テーブルのチェックにより、送信に使用するポートとしてポート１が指定されていなければ（Ｓ５９でＮＯ）、ポート２が指定されているということであるのでＳ６７に進む。Ｓ６７では、発信元情報付加部４３３は発信元情報テーブルからポート２固有の発信元ポート情報を取得し、画像加工部２３に取得した発信元ポート情報を渡すと共に発信元ポート情報を画像データに付加することを指示する。これにより画像加工部２３は取得した発信元ポート情報を画像データの所定の位置、例えばページ上端部に付加する画像加工を行う。
【００６０】
Ｓ６９では、送信制御部４３４は未送信データ情報テーブルから取得した送信先ＦＡＸ番号５ａ及び画像データアドレス５ｂをファクシミリ通信部６１に送信すると共に、ポート２を使用する旨をファクシミリ通信部６１に送信し画像データの送信を指示する。ファクシミリ通信部６１は送信制御部４３４の指示に従い画像データの送信を行う。送信制御部はファクシミリ通信部６１への送信指示に伴い未送信データ情報テーブルから送信指示を行ったデータの情報を削除し、送信中情報テーブルに上記情報を移動する。Ｓ７１では、未送信データ情報テーブルをチェックして同報送信の場合でまだ送信していないあて先があるか否かをチェックする。未送信のあて先があった場合（Ｓ７１でＹＥＳ）、Ｓ６９に戻って未送信のあて先に対しての送信処理を行う。
【００６１】
次に画像データの送信中のエラー等により送信が中止（回線切断）され再送信が行われる場合の処理を図９のフローチャートを使用して説明する。Ｓ８１では、送信制御部４３４はファクシミリ通信部６１からエラー発生等により回線が切断された旨及びそのポート番号を受信したか否かをチェックする。受信していなければ（Ｓ８１でＮＯ）、チェックを繰り返す。回線が切断された旨を受信したら（Ｓ８１でＹＥＳ）、以下の処理により送信が中止された画像データを再送する。Ｓ８３では、送信中データ情報テーブルの送信が中止されたポート番号の欄の指定ポート欄６ｄをチェックし送信に使用するポートが指定されているか否かをチェックする。ここでは例えば指定ポート欄６ｄが「０」か否かをチェックする。ポートの指定がなければ、例えば指定ポート欄６ｄが「０」であれば（Ｓ８３でＮＯ）、Ｓ８５に進む。Ｓ８５では、送信制御部４３４はファクシミリ通信部６１にポート１が空いているか否かを問い合わせ、ポート１が空いていればＳ８７に進む。Ｓ８７では、送信制御部４３４は送信中データ情報テーブルから送信に必要な情報とポート１から送信する旨をファクシミリ通信部６１に送信し画像データの送信を指示する。
【００６２】
Ｓ８５においてポート１が空いていなければＳ８９に進む。Ｓ８９では、ファクシミリ通信部６１にポート２が空いているかを問い合わせ、ポート２が空いていれば（Ｓ８９でＹＥＳ）、Ｓ９１に進む。Ｓ９１では、送信制御部４３４は送信中データ情報テーブルから送信に必要な情報とポート２から送信する旨をファクシミリ通信部６１に送信し画像データの送信を指示する。Ｓ８９でポート２が空いていなかった場合には（Ｓ８９でＮＯ）、Ｓ８５に戻る。
【００６３】
Ｓ８３で指定ポート欄に使用するポートの指定があった場合にはＳ９３に進む。指定ポート欄にポート１が指定されていれば（Ｓ９３でＹＥＳ）、Ｓ９５に進む。Ｓ９５では送信制御部４３４は送信中データ情報テーブルから送信に必要な情報とポート１から送信する旨をファクシミリ通信部６１に送信し画像データの送信を指示する。Ｓ９３で指定ポート欄にポート１が指定されていなければ（Ｓ９３でＮＯ）、ポート２が指定されているということなのでＳ９７に進む。Ｓ９７では送信制御部４３４は送信中データ情報テーブルから送信に必要な情報とポート２から送信する旨をファクシミリ通信部６１に送信し画像データの送信を指示する。
【００６４】
このように本実施形態によれば明示的に送信ポートを指定した場合には各ポートごとに登録された発信元情報（発信元ポート情報）が画像データに付加されて送信される。また、明示的に送信ポートを指定しなかった場合には装置固有の発信元情報（発信元装置情報）が画像データに付加されて送信される。このため画像データの送信中にエラーの発生等により送信が中止され、回線を再度接続して送信を再開し画像データを再送信するような場合で装置により中断前とは別のポートが割り当てられた場合にも送信中断前と同一の発信元情報（発信元装置情報）が画像データに付加されるので、中断前と中断後で受信側の画像データに付加される発信元情報が同一のものとなり、画像データ受信者が画像データの発信元に対する混乱をおこすことがない。
【００６５】
以上、本発明の一実施形態を説明したが、本発明の実施は本実施形態に限られるものではなく、本実施形態以外の実施形態においても実施可能である。
【００６６】
本実施形態においては、１つの画像データを２つの送信先に送信する所謂同報送信の場合を例にとり説明したが、本発明が適用されるファクシミリ装置は必ずしも同報送信が可能な装置である必要はない。
【００６７】
本実施形態においては、エラーが起こった場合に装置が自動的に再ダイアルを行い画像データを自動的に再送したが、このような機能を持たないファクシミリ装置においてはユーザが画像データを再送信してもよい。この場合においても中断前と中断後で共にポートを指定しないか共に同じポートを指定すれば同一の発信元情報が中断前画像データと中断後画像データに付加される。
【００６８】
【発明の効果】
請求項１に記載の発明によれば、各ポートで共通に使用する発信元情報（発信元装置情報）を装置に記憶し、送信に使用するポートが自動的に割り当てられて画像データの送信が行われる場合には上記発信元装置情報が画像データに付加されるので、エラーの発生等により送信途中の画像データの送信が中止され、自動的に別のポートが使用されて画像データが再送信されるような場合にも、中断前と中断後で同一の送信元情報が画像データに付加されるので、エラーで途中まで送られた画像データが再送されて来たことが容易にわかり、別の送信者から送信されてきた画像データであると勘違いする等の混乱を受信者にもたらすことがない。
【００６９】
請求項２に記載の発明によれば、前記装置固有の発信元情報をユーザが入力するための手段が備えられているので、前記装置固有の発信元情報をユーザが決定し入力することが出来る。
【００７０】
請求項３に記載の発明によれば、ポートごとにポート固有の発信元情報（発信元ポート情報）が装置に記憶され使用するポートをユーザが指定することが出来ると共にユーザ指定のポートを使用する場合には指定したポートに固有の発信元ポート情報が画像データに付加されて送信されるので、送信ポートをユーザが指定することにより特定の発信元情報（発信元ポート情報）を画像データに付加して送信することが出来る。
【図面の簡単な説明】
【図１】本発明の一実施の形態による分割送信機能を用いたデジタル複合機の機械的構成を主に示す側面概略図である。
【図２】図１に示すデジタル複合機の電気的構成を主に示すブロック図である。
【図３】図２に示すブロック図のうち特に本発明にかかる部分のデジタル複合機の電気的構成と制御部内の機能構成を示すブロック図である。
【図４】発信元情報を格納したテーブルの例を示す図である。
【図５】未送信データ情報テーブルの例を示す図である。
【図６】送信中データ情報テーブルの例を示す図である。
【図７】本デジタル複合機の発信元情報登録時の処理の流れを示すフローチャートを示す図である。
【図８】本デジタル複合機のファクシミリ送信時の処理の流れを示すフローチャートを示す図である。
【図９】本デジタル複合機のファクシミリ送信時の処理の流れを示すフローチャートのつづきを示す図である。
【図１０】本デジタル複合機のエラー発生、回線切断に伴う画像データ再送時の処理の流れを示すフローチャートを示す図である。
【符号の説明】
１  デジタル複合機（画像送信装置）
１１  スキャナ部
２１  画像処理部
２２  画像加工部
２３  画像メモリ
４１  制御部
４３  ファクシミリコントローラ
５１  操作パネル部
６１  ファクシミリ通信部
６５  ＨＤＤ
４３１  ポート指定入力部（ポート指定手段）
４３２  発信元情報入力部（入力手段）
４３３  発信元情報付加部（付加手段、ポート情報付加手段）
４３４  送信制御部（自動ポート割当手段、送信制御手段）
６５１  発信元情報テーブル（装置情報記憶手段、ポート情報記憶手段）
【図１】
2005026907.tif 000003
【図２】
2005026907.tif 000004
【図３】
2005026907.tif 000005
【図４】
2005026907.tif 000006
【図５】
2005026907.tif 000007
【図６】
2005026907.tif 000008
【図７】
2005026907.tif 000009
【図８】
2005026907.tif 000010
【図９】
2005026907.tif 000011
【図１０】
2005026907.tif 000012